(57)【要約】  【課題】  品質の異なる通信を１系統のデータの通信により実現することが可能であり、これにより高品質の通信を望む視聴者及び低コストの通信を望む視聴者を共に満足させてサービスの形態を拡充することが可能な通信方法、通信システム及び送信装置を提供する。  【解決手段】  複数の要素データを配列して形成される送信データを送信する送信装置１は、送信データを変換して補償データを生成し、送信データ及び補償データを１系統のデータとして送信する。高品質の通信を行う受信装置２は、送信データ及び補償データを受信し、受信した送信データ及び補償データから、送信データの欠損箇所を補償し、送信データに基づく処理を実行する。低コストの通信を行う受信装置２は、受信した送信データのみに基づく処理を実行する。【選択図】      図１
2007043576.tif 000002
【特許請求の範囲】
【請求項１】
送信装置から受信装置へ送信データを送信し、受信装置で送信データに基づく処理を実行する通信方法において、
送信データに基づき、該送信データの欠損を補償する補償データを生成し、
送信データ及び補償データを前記受信装置へ送信し、
前記受信装置は、
送信データ及び補償データを受信し、
受信した補償データを用いて、受信した送信データの欠損を補償し、
補償した送信データに基づく処理を実行する
ことを特徴とする通信方法。
【請求項２】
前記補償データは、送信データの送信開始から所定間隔以内に送信を開始することを特徴とする請求項１に記載の通信方法。
【請求項３】
前記補償データは、送信データを形成する要素データの配列を並べ替えて補償データを生成することを特徴とする請求項１又は請求項２に記載の通信方法。
【請求項４】
前記補償データは、送信データを形成する要素データ同士の論理演算の結果に基づいて補償データを生成することを特徴とする請求項１又は請求項２に記載の通信方法。
【請求項５】
前記補償データは、前記送信データよりデータ量が少ないことを特徴とする請求項４に記載の通信方法。
【請求項６】
送信データを送信する送信装置と、該送信装置から送信された送信データに基づく処理を実行する受信装置とを備える通信システムにおいて、
前記送信装置は、
送信データに基づき、該送信データの欠損を補償する補償データを生成する手段と、
送信データ及び補償データを送信する手段と
を備え、
前記受信装置は、
送信データ及び補償データを受信する手段と、
受信した補償データを用いて、受信した送信データの欠損を補償する手段と、
補償した送信データに基づく処理を実行する実行手段と
を備える
ことを特徴とする通信システム。
【請求項７】
前記送信データは、映像データ及び／又は音声データに係るストリーミングデータであり、
前記実行手段は、連続して送信される複数の送信データの受信中に、既に受信している送信データに基づく映像及び／又は音声のストリーミング再生を実行する様に構成してある
ことを特徴とする請求項６に記載の通信システム。
【請求項８】
前記送信データは、映像データ及び／又は音声データに係るダウンロードデータであり、
前記実行手段は、連続して送信される複数の送信データの受信を完了後、受信した送信データに基づく映像及び／又は音声の再生を実行する様に構成してある
ことを特徴とする請求項６に記載の通信システム。
【請求項９】
送信データを送信する送信装置において、
送信データに基づき、該送信データの欠損を補償する補償データを生成する手段と、
送信データ及び補償データを送信する手段と
を備えることを特徴とする送信装置。
【発明の詳細な説明】
【技術分野】
【０００１】
本発明は、送信装置から受信装置へ送信データを送信する通信方法、該通信方法を適用した通信システム、及び該通信システムにて用いられる送信装置に関し、特に音声データ及び／又は映像データ等の送信データを送信するサービスの形態を拡充することが可能な通信方法、通信システム及び送信装置に関する。
【背景技術】
【０００２】
映画、テレビジョン放送、コンサート等の様々な映像を出力させる送信データをストリーミング送信する通信システムが普及している（例えば特許文献１参照。）。
【０００３】
このような通信システムでは、送信された送信データが受信側の装置に到達するまでに様々なノイズにより送信データの一部が欠損し、映像の乱れ等の悪影響を及ぼすことがある。特に送信データを無線により受信側の装置へ送信する場合には、電磁ノイズによる影響だけでなく、建造物等の障害物による影響も大きいため、有線のネットワークを介しての送信以上に欠損に対する対策が必要となる。そこで欠損を補償する様々な通信方法が提案されている。
【特許文献１】特開２００４−８０１６９号公報
【発明の開示】
【発明が解決しようとする課題】
【０００４】
しかしながら送信データに欠損補償処理を施して送信するとなると、送信データをそのまま送信する場合と比べてコストがかかることになり、このコストはサービス料金として、受信した送信データに基づく映像を視聴する視聴者に降りかかることになる。このように高コストでも品質の高い通信を望む視聴者が存在する一方で、映像に乱れが生じる様な品質の低い通信であっても安価なサービスを望む視聴者も存在する。これらの要求が異なる視聴者を双方共に満足させることがサービスの形態を拡充する上での課題となっている。
【０００５】
本発明は斯かる事情に鑑みてなされたものであり、送信データだけでなく、送信データの欠損の補償に用いられる補償データを送信することにより、サービスの形態を拡充させて様々な要求の視聴者を満足させることが可能な通信方法、該通信方法を適用した通信システム、及び該通信システムにて用いられる送信装置の提供を目的とする。
【課題を解決するための手段】
【０００６】
第１発明に係る通信方法は、送信装置から受信装置へ送信データを送信し、受信装置で送信データに基づく処理を実行する通信方法において、送信データに基づき、該送信データの欠損を補償する補償データを生成し、送信データ及び補償データを前記受信装置へ送信し、前記受信装置は、送信データ及び補償データを受信し、受信した補償データを用いて、受信した送信データの欠損を補償し、補償した送信データに基づく処理を実行することを特徴とする。
【０００７】
本発明では、送信装置から送信データを送信する場合に、送信データの送信開始から所定間隔以内に補償データの送信を開始し、受信装置は、送信データそのものと、送信データの欠損の補償に用いられる補償データとを受信することにより、例えば予め受信装置に補償の要否を設定しておけば、受信装置を操作する視聴者は、品質の高い通信及び品質の低い通信の中から好ましい方を選択することができるため、１系統のデータを受信するだけで２系統のサービスを利用することができるので、サービスの形態を拡充させて様々な要求の視聴者を満足させることが可能である。
【０００８】
第２発明に係る通信方法は、第１発明において、前記補償データは、送信データの送信開始から所定間隔以内に送信を開始することを特徴とする。
【０００９】
本発明では、送信データ及び該送信データの欠損を補償する補償データの送信間隔を開けずに送信するので、送信データがストリーミングデータである場合に、実時間性を維持して送信データに基づく処理を実行することが可能である。
【００１０】
第３発明に係る通信方法は、第１発明又は第２発明において、前記補償データは、送信データを形成する要素データの配列を並べ替えて補償データを生成することを特徴とする。
【００１１】
本発明では、送信データを形成する要素データの配列を並べ替えて補償データを生成することにより、例えば同時に送信する送信データ及び補償データに対し、電磁ノイズにより双方に欠損が生じたとしても、送信データの欠損箇所と、補償データから生成した送信データの欠損箇所とは異なるため、受信した送信データ及び補償データの夫々の欠損箇所を相互に補うことができるので、欠損を補償することが可能である。
【００１２】
第４発明に係る通信方法は、第１発明又は第２発明において、前記補償データは、送信データを形成する要素データ同士の論理演算の結果に基づいて補償データを生成することを特徴とする。
【００１３】
本発明では、送信データを形成する要素データ同士の排他的論理和等の論理演算の結果となるデータにて補償データを生成することにより、例えば同時に送信する送信データ及び補償データに対し、電磁ノイズにより双方に欠損が生じたとしても、送信データの欠損箇所と、補償データに基づき生成した送信データの欠損箇所とは異なるため、受信した送信データの欠損箇所を補償データから生成した送信データにて補うことができるので、欠損を補償することが可能である。
【００１４】
第５発明に係る通信方法は、第４発明において、前記補償データは、前記送信データよりデータ量が少ないことを特徴とする。
【００１５】
本発明では、全体としての通信負荷を軽減することが可能である。
【００１６】
第６発明に係る通信システムは、送信データを送信する送信装置と、該送信装置から送信された送信データに基づく処理を実行する受信装置とを備える通信システムにおいて、前記送信装置は、送信データに基づき、該送信データの欠損を補償する補償データを生成する手段と、送信データ及び補償データを送信する手段とを備え、前記受信装置は、送信データ及び補償データを受信する手段と、受信した補償データを用いて、受信した送信データの欠損を補償する手段と、補償した送信データに基づく処理を実行する実行手段とを備えることを特徴とする。
【００１７】
本発明では、送信装置から送信データを送信する場合に、送信データの送信開始から所定間隔以内に補償データの送信を開始し、受信装置は、送信データそのものと、送信データの欠損の補償に用いられる補償データとを受信することにより、例えば予め受信装置に補償の要否を設定しておけば、受信装置を操作する視聴者は、品質の高い通信及び品質の低い通信の中から好ましい方を選択することができるため、１系統のデータを受信するだけで２系統のサービスを利用することができるので、サービスの形態を拡充させて様々な要求の視聴者を満足させることが可能である。
【００１８】
第７発明に係る通信システムは、第６発明において、前記送信データは、映像データ及び／又は音声データに係るストリーミングデータであり、前記実行手段は、連続して送信される複数の送信データの受信中に、既に受信している送信データに基づく映像及び／又は音声のストリーミング再生を実行する様に構成してあることを特徴とする。
【００１９】
本発明では、映像及び音声をストリーミング配信するビデオオンデマンドと呼ばれる映像配信システムに適用することが可能である。
【００２０】
第８発明に係る通信システムは、第６発明において、前記送信データは、映像データ及び／又は音声データに係るダウンロードデータであり、前記実行手段は、連続して送信される複数の送信データの受信を完了後、受信した送信データに基づく映像及び／又は音声の再生を実行する様に構成してあることを特徴とする。
【００２１】
本発明では、映像及び音声を受信装置にてダウンロード完了後に出力する映像配信システムに適用することが可能である。
【００２２】
第９発明に係る送信装置は、送信データを送信する送信装置において、送信データに基づき、該送信データの欠損を補償する補償データを生成する手段と、送信データ及び補償データを送信する手段とを備えることを特徴とする。
【００２３】
本発明では、送信データの送信開始から所定間隔以内に補償データの送信を開始することにより、送信データを受信する受信装置は、送信データそのものと、送信データの欠損の補償に用いられる補償データとを受信することができ、例えば予め受信装置に補償の要否を設定しておけば、受信装置を操作する視聴者は、品質の高い通信及び品質の低い通信の中から好ましい方を選択することができるため、１系統のデータを受信するだけで２系統のサービスを利用することができるので、サービスの形態を拡充させて様々な要求の視聴者を満足させることが可能である。
【発明の効果】
【００２４】
本発明に係る通信方法、通信システム及び送信装置は、複数の要素データを配列して形成される映像データ及び／又は音声データ等の送信データを送信する送信装置と、送信データに基づく映像及び／又は音声の出力等の処理を実行する受信装置とを用いたシステムに適用する。送信装置は、要素データの配列の並べ替え、要素データ同士の論理演算等の変換方法により送信データから補償データを生成する。そして送信装置は、１系統のデータとして送信データ及び補償データを送信する。受信装置は、送信データ及び補償データを受信し、受信した送信データに欠損が生じていた場合、受信した補償データに基づいて送信データの欠損を補償し、送信データに基づく処理を実行する。
【００２５】
この構成により、本発明は、例えば予め受信装置に補償の要否を設定しておけば、受信装置を操作する視聴者は、送信データの欠損箇所を補償した品質の高い通信と、送信データをそのまま用いる品質の低い通信との中から好ましい方を選択することができるため、１系統のデータを受信することで２系統のサービスを利用することができるので、サービスの形態を拡充させて様々な要求の視聴者を満足させることが可能である等、優れた効果を奏する。
【発明を実施するための最良の形態】
【００２６】
以下、本発明をその実施の形態を示す図面に基づいて詳述する。図１は、本発明の送信システムの一例を概念的に示す説明図である。図１中１は、映像データ及び音声データを送信データとして送信するサーバコンピュータ等の送信装置であり、送信装置１は、無線基地局を介して送信データをストリーミング送信する。送信装置１から送信された送信データは、携帯電話等の受信装置２により受信され、受信装置２は、映像データ及び音声データである送信データに基づいて映像及び音声を出力する。なお送信装置１は、ストリーミング送信される映像及び音声コンテンツを提供するサービス事業体により管理され、受信装置２は、サービス事業体から提供されるサービスを享受する視聴者により管理される。ストリーミングとは、連続して送信される複数の送信データを受信する受信装置２において、送信データの全ての受信を完了する前に、既に受信した送信データに基づき映像及び音声を再生する方法である。なお映像データの配信は、ストリーミングによるものではなく、連続して送信される複数の送信データの受信、即ちダウンロードを完了後、ダウンロードした送信データに基づき映像及び音声を再生する方法であっても良い。
【００２７】
図２は、本発明の通信システムの構成例を示すブロック図である。サーバコンピュータを用いた送信装置１は、装置全体を制御するＣＰＵ(Central Processing Unit) 等の制御手段１１と、様々なコンピュータプログラム、並びにコンピュータプログラムの処理に要する処理用データ、送信データの原データである映像データ及び音声データ等の各種データを記録するハードディスク等の記録手段１２とを備えている。
【００２８】
また送信装置１は、映像データ及び音声データの原データをＭＰＥＧ(Motion Picture Expert Group) 等の符号化形式にて圧縮符号化する圧縮符号化手段１３と、圧縮符号化された映像データ及び音声データである送信データを変換して、送信データを補償する補償データを生成する変換手段１４と、送信データ及び補償データを多重化する多重化手段１５と、多重化した送信データ及び補償データを、基地局を介して送信する送信手段１６とを備えている。
【００２９】
なお本発明の通信システムを、コンサート、市街地等の撮像対象を撮像しライブ配信する映像配信システムに適用する場合、記録手段１２に映像データ及び音声データを予め記録しておくのではなく、カメラ等の撮像手段を用いた撮像により映像データ及び音声データを生成し、生成した映像データ及び音声データを圧縮符号化、変換及び多重化して送信する様にしても良い。また予め圧縮符号化した映像データ及び音声データを記録手段１２に記録する様にしても良く、その場合、圧縮符号化手段１３は不要となる。また送信装置１から受信装置２へ送信データを送信する速度が十分に高い場合、圧縮符号化せずに映像データ及び音声データの原データを送信データとして送信する様にしても良い。
【００３０】
携帯電話を用いた受信装置２は、各種通信処理、音声入出力処理、画像表示処理等の各種処理を制御するＣＰＵ等の制御手段２０１と、コンピュータプログラム及びデータ等の各種情報を記録するＲＯＭ(Read Only Memory)、ＲＡＭ(Random Access Memory)等の記録手段２０２とを備えている。
【００３１】
また受信装置２は、電話通信、ストリーミング送信される送信データ及び補償データの受信等の通信を行うアンテナ及び通信制御回路等の通信手段２０３を備えている。なお当実施の形態では、電話通信並びに送信データ及び補償データの受信で、通信手段２０３を共有する形態を示しているが、夫々の通信毎に通信手段２０３を設ける様にしても良い。
【００３２】
さらに受信装置２は、多重化した送信データ及び補償データを分離する集積回路等の分離手段２０４と、分離手段２０４にて分離した送信データ及び補償データから送信データの欠損箇所を補償する集積回路等の補償手段２０５と、送信データが映像及び音声データの原データをＭＰＥＧ等の符号化形式にて圧縮符号化されたデータである場合に、伸長復号して映像データ及び音声データの原データを生成する集積回路等の伸長復号手段２０６とを備えている。なお分離手段２０４、補償手段２０５及び伸長復号手段２０６として集積回路を実行するのではなく、記録手段２０２に記録したコンピュータプログラムを実行することにより、様々な処理を実行する様にしても良い。
【００３３】
さらに受信装置２は、マイク及び音声処理回路等の音声入力手段２０７と、スピーカ及び音声処理回路等の音声出力手段２０８と、英数字及び各種命令等のキー入力を受け付ける押釦等の操作手段２０９と、キー入力された情報及び送受信する情報等の各種情報を表示する液晶ディスプレイ等の表示手段２１０とを備えている。
【００３４】
次に本発明の通信システムに用いられる各種装置の処理について説明する。図３は、本発明の通信システムにて用いられる送信装置１の送信処理の一例を示すフローチャートである。送信装置１は、例えば受信装置２から送信データの送信を要求する命令を受け付けた場合、送信データの送信処理を行う。送信装置１は、制御手段１１の制御により、ＭＰＥＧ等の符号化形式にて圧縮符号化した映像データ及び音声データである送信データを、変換手段１４にて変換して補償データを生成する（Ｓ１０１）。変換手段１４による変換方法としては、送信データを形成する要素データの配列を並べ替える方法、配列されている要素データを拡散する方法等の様々な方法がある。
【００３５】
そして送信装置１は、制御手段１１の制御により、多重化手段１５にて、送信データ及び補償データを、直交周波数分割多重(OFDM:Orthogonal Frequency And Code Division Multiplexing)、時分割多重(TDM:Time Division Multiplexing)等の多重化方式にて多重化し（Ｓ１０２）、多重化した送信データ及び補償データを送信手段１６から基地局を介して送信する（Ｓ１０３）。多重化した送信データ及び補償データを送信することにより、補償データは、送信データの送信開始から所定間隔以内（同時も含む）に送信を開始することになる。なおここでいう所定間隔とは、０．５秒等の時間間隔を示すが、５パケット以内等のデータの送信単位による間隔であっても良い。
【００３６】
図４は、本発明の通信システムにて用いられる受信装置２の受信処理の一例を示すフローチャートである。受信装置２は、制御手段２０１の制御により、通信手段２０３にて多重化された送信データ及び補償データを受信し（Ｓ２０１）、分離手段２０４にて送信データ及び補償データを分離する（Ｓ２０２）。
【００３７】
そして受信装置２は、制御手段２０１の制御により、補償手段２０５にて、受信し分離した送信データ、及び補償データから、送信データの欠損を補償する（Ｓ２０３）。ステップＳ２０３による欠損の補償は、受信した送信データの欠損箇所を、補償データにて補うことにより行われる。
【００３８】
そして受信装置２は、制御手段２０１の制御により、欠損箇所を補償した送信データである映像データ及び音声データを伸長復号手段２０６にて伸長復号し、伸長復号した映像データ及び音声データに基づいて、表示手段２１０及び音声出力手段２０から映像及び音声を出力する処理を実行する（Ｓ２０４）。
【００３９】
図４のフローチャートを用いて示した受信装置２の受信処理は、受信装置２を管理する視聴者が、送信装置１を管理するサービス事業体と、欠損箇所を補償した送信データに基づく出力処理を行うサービス契約を結んでいる場合に実行される。欠損箇所を補償した送信データに基づく出力処理を行うサービス契約を結んでいない場合、受信装置２では、受信し分離手段２０３にて分離した送信データのみに基づく出力処理を行う。受信した送信データのみに基づく出力処理を行う場合、補償データに基づく補償処理が行われないので、補償処理を行う場合と比べて映像及び音声に乱れが生じる可能性が高くなる。なおサービス事業体と欠損箇所を補償した送信データに基づく出力処理を行うサービス契約を結んだ場合、補償手段２０５による補償処理のための鍵情報を送信装置１から受信装置２へ予め送信し、受信装置２では、鍵情報を例えば記録手段２０２に記録して補償手段２０５の補償処理に用いることにより、欠損箇所を補償することが可能となる。
【００４０】
次に本発明の通信システムにおける変換処理について説明する。図５は、本発明の送信装置１による送信データの変換方法の一例を概念的に示す説明図である。図５は、送信データを形成する要素データの配列を並べ替えることにより変換を行う方法を示している。図５（ａ）は、送信データを示しており、送信データは、所定長の複数の要素データにより形成されており、８個の要素データで１つの処理単位となるブロックを形成している。図５（ａ）に示した送信データは、各マスが夫々要素データを示しており、要素データを示すマス内に示した数字は便宜上付した要素データの識別子である。送信データを形成する各要素データは、１，２，３，４，５，６，７，８の順に送信される。
【００４１】
図５（ｂ）は、変換手段１４により要素データの配列を並べ替える変換を行って生成した補償データを示している。図５（ｂ）に示す様に補償データは、送信データを形成していた要素データの配列を５，６，７，８，１，２，３，４の順に並べ替えて生成されている。なお図５（ｂ）では、要素データの順序をずらしただけであるが、順序をずらすだけでなく、様々な並べ替え方法を適用することが可能である。そしてこの並べ替える順序を示した情報が、補償データにて送信データを補償するための鍵情報となる。
【００４２】
図５（ｃ）は、多重化して送信される送信データ及び補償データを示しており、上段が送信データを示し、下段が補償データを示している。図５（ｃ）において斜線で示した送信データ中の「２」の要素データ及び補償データ中の「６」の要素データは送信中に欠損が生じ、受信装置２が正常に受信することができなかったことを示している。図５（ｃ）に示す様に多重化して送信する送信データ及び補償データに欠損が生じる場合、同じタイミングで送信される要素データ、例えば送信データ中の「２」の要素データ及び補償データ中の「６」の要素データが共に欠損する可能性が高い。図５（ｃ）に示す様に欠損箇所を含む送信データ及び補償データを受信した受信装置２は、補償手段２０５にて送信データを補償する。受信した送信データは、「２」以外の要素データを正常に受信しており、補償データは、「６」以外の要素データは正常であることから、補償手段２０５は、受信した送信データ、及び補償データに基づいて送信データの欠損を補償することができる。
【００４３】
図６は、本発明の送信装置１による送信データの変換方法の一例を概念的に示す説明図である。図６は、配列されている要素データを拡散することにより変換を行う方法を示している。図６（ａ）は、送信データを示しており、送信データを形成する各要素データは、１，２，３，４，５，６，７，８の順に送信される。
【００４４】
図６（ｂ）は、変換手段１４により要素データを論理演算にて拡散する変換を行って生成した補償データを示している。図６（ｂ）中、要素データ「ｄ１」は、要素データ「１」と要素データ「２」と要素データ「８」との排他的論理和を演算した結果であり、「ｄ１」＝「３」ｘｏｒ「５」ｘｏｒ「８」として示すことができる。同様にして要素データ「ｄ２」〜「ｄ４」は下記の様に示す排他的論理和を演算した結果である。このようにして生成された補償データは、送信データよりデータ量が少ないデータとなる。
【００４５】
「ｄ２」＝「３」ｘｏｒ「５」ｘｏｒ「６」ｘｏｒ「７」
「ｄ３」＝「２」ｘｏｒ「４」ｘｏｒ「８」
「ｄ４」＝「３」ｘｏｒ「４」ｘｏｒ「７」ｘｏｒ「８」
【００４６】
なお図６（ｂ）に示す拡散方法はあくまでも一例で、論理演算を用いた様々な式を用いることが可能である。そしてこの論理演算の方法を示した情報が、補償データの論理演算式を示す鍵情報となる。
【００４７】
図６（ｃ）は、多重化して送信される送信データ及び補償データを示しており、上段が送信データを示し、下段が補償データを示している。図６（ｃ）において斜線で示した送信データ中の「２」の要素データ及び補償データ中の「ｄ１」の要素データは送信中に欠損が生じ、受信装置２が正常に受信することができなかったことを示している。図６（ｃ）に示す様に欠損箇所を含む送信データ及び補償データを受信した受信装置２は、補償手段２０５にて送信データ中の「４」及び「８」の要素データ、並びに補償データ中の「ｄ２」の要素データから、送信データの「２」の要素データを生成する。このようにして補償手段２０５は、送信データ及び補償データに基づいて送信データの欠損を補償することができる。
【００４８】
前記実施の形態では、送信データ及び補償データを同時に送信する方法として、送信データ及び補償データを直交周波数分割多重、時分割多重等の多重化方式にて１系統のデータとする方法を示したが、本発明はこれに限らず、送信データ及び補償データを同時に送信する様々な方法を用いることが可能である。図７は、本発明の通信システムにて用いられる送信装置１から送信されるパケットのフォーマットの構成例を示す概念図である。本発明の送信装置１が備える送信手段１６から送信されるパケットのフォーマットを示しており、パケットには、ヘッダ情報が格納されるヘッダフィールドと、データが格納されるデータフィールドとが設けられている。ヘッダフィールドには送信先及び送信元の装置を示す情報、データフィールドの索引等の様々な情報が格納されている。データフィールドは、２分割されており、送信データを格納するフィールドと補償データを格納するフィールドとが設けられている。図７に示す様なフォーマットのパケットを用いることにより、送信装置１は、送信データ及び補償データの双方を含むパケットを生成し送信することが可能であり、受信装置２は、受信したパケットのヘッダ情報に基づいて、送信データ及び補償データを分離することが可能である。
【００４９】
また前記実施の形態では、携帯電話を受信装置として用いる形態を示したが、本発明はこれに限らず、携帯電話以外の装置であっても良く、またインターネット等の有線のネットワークを介して送信データを送信する等、様々な形態に展開することが可能である。
【図面の簡単な説明】
【００５０】
【図１】本発明の送信システムの一例を概念的に示す説明図である。
【図２】本発明の通信システムの構成例を示すブロック図である。
【図３】本発明の通信システムにて用いられる送信装置の送信処理の一例を示すフローチャートである。
【図４】本発明の通信システムにて用いられる受信装置の受信処理の一例を示すフローチャートである。
【図５】本発明の送信装置による送信データの変換方法の一例を概念的に示す説明図である。
【図６】本発明の送信装置による送信データの変換方法の一例を概念的に示す説明図である
【図７】本発明の通信システムにて用いられる送信装置から送信されるパケットのフォーマットの構成例を示す概念図である。
【符号の説明】
【００５１】
１  送信装置
１１  制御手段
１３  圧縮符号化手段
１４  変換手段
１５  多重化手段
１６  送信手段
２  受信装置
２０１  制御手段
２０３  通信手段
２０４  分離手段
２０５  補償手段
２０６  伸長復号手段
２０８  音声出力手段
２１０  表示手段
【図１】
2007043576.tif 000003
【図２】
2007043576.tif 000004
【図３】
2007043576.tif 000005
【図４】
2007043576.tif 000006
【図５】
2007043576.tif 000007
【図６】
2007043576.tif 000008
【図７】
2007043576.tif 000009